(57)【特許請求の範囲】
【請求項１】
夫々が操作部を備える複数の電動ブラインド装置と、該複数の電動ブラインド装置に通信線を介して接続された制御装置とを含み、前記操作部又は前記制御装置から前記電動ブラインド装置の動作を制御する電動ブラインド制御システムにおいて、
各電動ブラインド装置は、
自装置が備える操作部からの制御に応じた動作を行う場合、予め設定された設定時間の間、前記制御装置からの制御を無効化する手段と、
前記設定時間の間に前記制御装置からの制御を受付けた場合、該制御に係る情報を記憶する記憶手段と
を備え、
前記設定時間の終了後に、前記記憶手段に記憶した情報に基づいて動作を行うようにしてある
ことを特徴とする電動ブラインド制御システム。
【請求項２】
各電動ブラインド装置は、
前記設定時間の変更を受付ける手段
を更に備えることを特徴とする請求項１に記載の電動ブラインド制御システム。
【請求項３】
夫々が操作部を備える複数の電動ブラインド装置と、該複数の電動ブラインド装置に通信線を介して接続された制御装置とを含み、前記操作部又は前記制御装置から前記電動ブラインド装置の動作を制御する電動ブラインド制御システムにおいて、
各電動ブラインド装置は、
自装置が備える操作部からの制御を受付けた場合、その旨を前記制御装置へ通知する手段
を備え、
前記制御装置は、
前記電動ブラインド装置からの通知を受信する手段と、
前記通知を受信してから予め設定された設定時間が経過するまでの間に複数の電動ブラインド装置に対する制御を行う場合、前記通知の送信元を除く１又は複数の電動ブラインド装置を宛先とした制御信号を生成する手段と、
生成した制御信号を前記通信線を介して前記１又は複数の電動ブラインド装置へ送信する手段と
を備えることを特徴とする電動ブラインド制御システム。
【発明の詳細な説明】
【技術分野】
【０００１】
本発明は、中央制御装置からの集中制御及び操作部を用いた個別制御を行える電動ブラインド制御システムに関する。
【背景技術】
【０００２】
従来、複数の電動ブラインド装置を集中的に制御して、各電動ブラインド装置におけるスラットの昇降位置および角度を、採光と冷暖房効率との両面から適正な値に設定し、冷暖房費用の節約とともに建物全体の美観を維持するのに役立つ電動ブラインド制御システムが提案されている。また、各電動ブラインド装置は、ユーザによる個別操作を受付けるために、操作パネルを備えたものが存在する。
【０００３】
このような電動ブラインド制御システムでは、中央制御装置からの指令に基づいて、すべての電動ブラインド装置を一括制御することができ、また、必要に応じてユーザが操作パネルから操作を行うことにより、特定の電動ブラインド装置のみを個別に制御することが可能である。
【先行技術文献】
【特許文献】
【０００４】
【特許文献１】特開２００７−１６２２６７号公報
【発明の概要】
【発明が解決しようとする課題】
【０００５】
上述した電動ブラインド制御システムでは、例えば、会議中などで外部に様子を知られたくないときに、特定の電動ブラインド装置を個別操作して、ブラインドを閉じた状態に制御した場合であっても、中央制御装置から制御信号を受付けた場合には、ユーザの意に反してブラインドが開いた状態に制御される可能性があるという問題点を有していた。
【０００６】
本発明は、斯かる事情に鑑みてなされたものであり、電動ブラインド装置をユーザが個別操作した場合には一時的に中央制御装置からの制御を無効化できる電動ブラインド制御システムを提供することを目的とする。
【課題を解決するための手段】
【０００７】
本願の電動ブラインド制御システムは、夫々が操作部を備える複数の電動ブラインド装置と、該複数の電動ブラインド装置に通信線を介して接続された制御装置とを含み、前記操作部又は前記制御装置から前記電動ブラインド装置の動作を制御する電動ブラインド制御システムにおいて、各電動ブラインド装置は、自装置が備える操作部からの制御に応じた動作を行う場合、予め設定された設定時間の間、前記制御装置からの制御を無効化する手段と、前記設定時間の間に前記制御装置からの制御を受付けた場合、該制御に係る情報を記憶する記憶手段とを備え、前記設定時間の終了後に、前記記憶手段に記憶した情報に基づいて動作を行うようにしてあることを特徴とする。
【０００８】
本願の電動ブラインド制御システムは、各電動ブラインド装置は、前記設定時間の変更を受付ける手段を更に備えることを特徴とする。
【００１０】
本願の電動ブラインド制御システムは、夫々が操作部を備える複数の電動ブラインド装置と、該複数の電動ブラインド装置に通信線を介して接続された制御装置とを含み、前記操作部又は前記制御装置から前記電動ブラインド装置の動作を制御する電動ブラインド制御システムにおいて、各電動ブラインド装置は、自装置が備える操作部からの制御を受付けた場合、その旨を前記制御装置へ通知する手段を備え、前記制御装置は、前記電動ブラインド装置からの通知を受信する手段と、前記通知を受信してから予め設定された設定時間が経過するまでの間に複数の電動ブラインド装置に対する制御を行う場合、前記通知の送信元を除く１又は複数の電動ブラインド装置を宛先とした制御信号を生成する手段と、生成した制御信号を前記通信線を介して前記１又は複数の電動ブラインド装置へ送信する手段とを備えることを特徴とする。
【発明の効果】
【００１１】
本願によれば、電動ブラインド装置をユーザが個別操作した場合、中央制御装置からの制御を一時的に無効化することができる。
【図面の簡単な説明】
【００１２】
【図１】電動ブラインド制御システムの全体構成を示すブロック図である。
【図２】電動ブラインド装置の制御系の構成を示すブロック図である。
【図３】中央制御装置の内部構成を示すブロック図である。
【図４】実施の形態１に係る電動ブラインド装置の制御手順の一例を示すフローチャートである。
【図５】設定時間の変更手順を示すフローチャートである。
【図６】実施の形態３に係る電動ブラインド装置の制御手順の一例を示すフローチャートである。
【図７】中央制御装置から電動ブラインド装置へ送信する制御信号の一例を示す概念図である。
【図８】実施の形態４に係る電動ブラインド装置の制御手順の一例を示すフローチャートである。
【発明を実施するための形態】
【００１３】
以下、本発明をその実施の形態を示す図面に基づいて具体的に説明する。
（実施の形態１）
図１は電動ブラインド制御システムの全体構成を示すブロック図である。本実施の形態に係る電動ブラインド制御システムは、複数の電動ブラインド装置１０，１０，…，１０、及び電動ブラインド装置１０，１０，…，１０を集中的に管理及び制御する中央制御装置２０を備える。
【００１４】
電動ブラインド装置１０は、例えば、金属製又はプラスチック製の細長い帯状の板からなるスラット（不図示）を有しており、このスラットを昇降させる昇降機構（不図示）、スラットの角度を調節するチルト機構（不図示）、これらの駆動機構を駆動する電動モータ１５Ｍ，１６Ｍ（図２を参照）、及び電動モータ１５Ｍ，１６Ｍの駆動制御を行う制御部１１（図２を参照）等を備えている。中央制御装置２０は、サーバ装置等のコンピュータであり、各電動ブラインド装置１０に通信線Ｎを介して接続される。中央制御装置２０は、通信線Ｎを介して制御信号を送信することにより、各電動ブラインド装置１０の管理及び制御を行う。
【００１５】
各電動ブラインド装置１０には個別のＩＤが付与される。中央制御装置２０は、制御対象の１又は複数の電動ブラインド装置１０のＩＤを付加した上で制御信号を各電動ブラインド装置１０へ送信する。各電動ブラインド装置１０は、通信線Ｎを通じて中央制御装置２０からの制御信号を受信した場合、受信した制御信号が自装置宛であるか否かを判断し、自装置宛である場合にはその制御信号に応じて電動モータ１５Ｍ，１６Ｍを駆動することにより、スラットの昇降制御及びスラットの角度制御を実行する。
【００１６】
本実施の形態では、中央制御装置２０から１又は複数のＩＤを付加した制御信号を送信することにより、ＩＤにより指定される１又は複数の電動ブラインド装置の動作を制御すると共に、個々の電動ブラインド装置１０が備える操作パネル１４０（図２を参照）を利用することにより、各電動ブラインド装置１０の動作を個別に制御することができるように構成されている。
【００１７】
図２は電動ブラインド装置１０の制御系の構成を示すブロック図である。電動ブラインド装置１０は、制御部１１、記憶部１２、通信部１３、接続部１４、操作パネル１４０、昇降制御部１５、チルト制御部１６、電動モータ１５Ｍ，１６Ｍなどを備える。電動ブラインド装置は、図に示していない商用電源から供給される電力により動作するように構成されている。
【００１８】
制御部１１は、例えば、ＣＰＵ、ＲＯＭ、ＲＡＭなどを備え、ＲＯＭに予め格納された制御プログラムをＲＡＭに読み出し、ＲＡＭに読み出した制御プログラムをＣＰＵが実行することにより、装置全体を本発明に係る電動ブラインド装置として機能させる。また、制御部１１は、通信部１３又は接続部１４を通じて入力される制御信号に基づき、昇降制御部１５及びチルト制御部１６に対する制御信号を送出することで電動モータ１５Ｍ，１６Ｍの駆動を制御し、スラットの昇降動作及び角度調整を行わせる。なお、制御部１１は、時刻情報を出力する時計手段（不図示）、設定時間のカウントダウン（若しくは、経過時間の計測）を行うタイマ（不図示）等を備えていてもよい。
【００１９】
記憶部１２は、ＥＥＰＲＯＭ（Electronically Erasable Programmable Read Only Memory）などの不揮発性メモリにより構成されており、自装置のＩＤ、スラットの高さデータ、角度データ、電動モータの回転数等の各種データを記憶する。また、本実施の形態では、記憶部１２は、中央制御装置２０からの制御を無効化する期間（設定時間）に係る情報を記憶する。
【００２０】
通信部１３は、例えばＲＳ４８５の仕様に準拠したシリアル通信により、中央制御装置２０との通信を行う。中央制御装置２０から送信される制御信号を受信した場合、通信部１３は、制御信号をデコードし、デコードして得られるデータを制御部１１へ送出する。また、制御部１１を通じて中央制御装置２０へ送信すべきデータが入力された場合、通信部１３は、入力されたデータを基に中央制御装置２０との通信における通信仕様に準拠した信号を生成し、生成した信号を通信線Ｎを通じて中央制御装置２０へ送信する。
【００２１】
接続部１４は、有線又は無線により操作パネル１４０を接続するためのインタフェースを備える。操作パネル１４０は、ユーザの操作を受付けることにより、電動ブラインド装置１０の動作を制御するように構成されている。操作パネル１４０は、例えば、スラットの上昇を指示するボタン、スラットの下降を指示するボタン、昇降の停止を指示するボタン、スラットの角度の調整を指示するボタン等の電動ブラインド装置１０の動作を制御するための各種操作ボタン（不図示）を備える。操作パネル１４０は、ユーザによる操作を受付けた場合、操作されたボタンに応じて制御信号を制御部１１へ出力する。
また、操作パネル１４０は、制御部１１から通信される情報を基に、スラットの昇降位置、スラットの角度等を表示する表示部を備える構成であってもよい。
【００２２】
昇降制御部１５は、制御部１１からの制御信号に基づいて電動モータ１５Ｍの回転を制御することにより、スラットを昇降させる昇降機構の駆動制御を行い、スラットを上昇させる動作、スラットを下降させる動作、スラットの昇降を停止させる動作を行わせる。
【００２３】
チルト制御部１６は、制御部１１からの制御信号に基づいて電動モータ１６Ｍの回転を制御することにより、スラットの角度を調節するチルト機構の駆動制御を行い、スラットを回動させる動作、スラットの回動を停止させる動作を行わせる。
【００２４】
図３は中央制御装置２０の内部構成を示すブロック図である。中央制御装置２０は、制御部２１、記憶部２２、通信部２３、表示部２４、操作部２５などを備える。
【００２５】
制御部２１は、例えば、ＣＰＵ、ＲＯＭ、ＲＡＭなどを備え、ＲＯＭに予め格納された制御プログラムをＲＡＭに読み出し、ＲＡＭに読み出した制御プログラムをＣＰＵが実行することにより、装置全体を本発明に係る制御装置として機能させる。なお、制御部２１は、時刻情報を出力する時計手段（不図示）、設定時間のカウントダウン（若しくは、経過時間の計測）を行うタイマ（不図示）等を備えていてもよい。
【００２６】
記憶部２２は、ＨＤＤ（Hard Disk Drive）などの不揮発性の記憶手段であり、各電動ブラインド装置１０，１０，…，１０に設定されているＩＤ、各電動ブラインド装置１０，１０，…，１０のスラットの高さデータ、角度データ、電動モータの回転数等の各種データを記憶する。
【００２７】
通信部２３は、例えばＲＳ４８５の仕様に準拠したシリアル通信により、電動ブラインド装置１０との通信を行う。通信部２３は、通信線Ｎを介して電動ブラインド装置１０から送信される信号を受信した場合、受信した信号をデコードし、デコードして得られるデータを制御部２１へ送出する。また、制御部２１は、制御対象の１又は複数の電動ブラインド装置１０，１０，…，１０宛の動作指令等が入力された場合、指定されたＩＤ及び動作指令に基づいて制御信号を生成する。制御部２１にて生成された制御信号は、通信部２３を通じて、各電動ブラインド装置１０，１０，…，１０へ送信される。中央制御装置２０から電動ブラインド装置１０へ送信する制御信号には、スラットの昇降制御に係る制御信号、スラットの角度調節に係る制御信号等が含まれる。
【００２８】
なお、本実施の形態では、中央制御装置２０から電動ブラインド装置１０へ制御信号を送信する際、制御対象の電動ブラインド装置１０のＩＤを指定した上で、制御信号をブロードキャスト的に全ての電動ブラインド装置１０，１０，…，１０へ送信し、それぞれの電動ブラインド装置１０，１０，…，１０において自装置宛の制御信号を受信したか否かを判断する構成としたが、中央制御装置２０から全ての電動ブラインド装置１０，１０，…，１０に対して制御信号を送信するのではなく、制御対象の電動ブラインド装置１０にのみ制御信号を送信する構成であっても良いことは勿論のことである。
【００２９】
以下、本実施の形態に係る電動ブラインド装置１０の動作について説明する。
図４は実施の形態１に係る電動ブラインド装置１０の制御手順の一例を示すフローチャートである。電動ブラインド装置１０の制御部１１は、通信部１３又は接続部１４を通じて、制御信号が入力されたか否かを判断する（ステップＳ１１）。入力されていない場合（Ｓ１１：ＮＯ）、制御部１１は、制御信号が入力されるまで待機する。
【００３０】
制御信号が入力されたと判断した場合（Ｓ１１：ＹＥＳ）、制御部１１は、通信部１３を通じて入力された信号であるのか、又は接続部１４を通じて入力された制御信号であるのかを判断することにより、入力された制御信号が操作パネル１４０からの信号であるか否かを判断する（ステップＳ１２）。
【００３１】
入力された制御信号が接続部１４を通じて入力された信号である場合、その制御信号は操作パネル１４０からの信号であると判断し（Ｓ１２：ＹＥＳ）、制御部１１は、内蔵タイマを用いて設定時間（例えば３０分）のカウントダウンを開始する（ステップＳ１３）。
【００３２】
次いで、制御部１１は、入力された制御信号に基づいてモータ制御を行う（ステップＳ１４）。例えば、制御部１１は、昇降制御部１５に対する制御信号を出力することにより、電動モータ１５Ｍの駆動を制御し、スラットの昇降動作を制御する。若しくは、制御部１１は、チルト制御部１６に対する制御信号を出力することにより、電動モータ１６Ｍの駆動を制御し、スラットの角度を調整する。モータ制御を行った後、制御部１１は、処理をステップＳ１に戻す。
【００３３】
一方、入力された制御信号が通信部１３を通じて入力された信号である場合、その制御信号は中央制御装置２０からの信号である（操作パネル１４０からの信号でない）と判断する（Ｓ１２：ＮＯ）。次いで、制御部１１は、内蔵タイマの出力を参照し、カウントダウン値がゼロであるか否かを判断する（ステップＳ１５）。
【００３４】
カウントダウン値がゼロでない場合（Ｓ１５：ＮＯ）、すなわち、カウントダウンを開始してから設定時間が経過していない場合、制御部１１は、処理をステップＳ１１に戻すことにより、中央制御装置２０からの制御を無効化する。
また、カウントダウン値がゼロである場合（Ｓ１５：ＹＥＳ）、すなわち、カウントダウンを開始してから設定時間が経過した場合、制御部１１は、処理をステップＳ１４へ移行させることにより、入力された制御信号に基づくモータ制御を実行する（Ｓ１４）。
【００３５】
以上のように、実施の形態１では、電動ブラインド装置１０の操作パネル１４０から制御を行った場合、設定時間（例えば３０分）が経過するまでの間、中央制御装置２０から送信される制御信号を受信した場合であっても、当該制御信号に基づく制御を行わない構成とすることにより、設定時間の間だけユーザの操作を優先させることができる。
【００３６】
なお、実施の形態１では、入力された制御信号が操作パネル１４０から出力された制御信号であると判断した場合、制御部１１が設定時間のカウントダウンを開始する構成としたが、設定時間のカウントダウンを開始するタイミングは任意に設定することができ、例えば、操作パネル１４０から出力される制御信号に基づいてモータ制御を開始したタイミングで、設定時間のカウントダウンを開始する構成としてもよい。
【００３７】
また、実施の形態１では、設定時間をカウントダウンする構成としたが、入力された制御信号が操作パネル１４０から出力された制御信号であると判断したタイミング、モータ制御を開始したタイミング等のタイミングで制御部１１の内蔵タイマにより計時を開始し、計時を開始してから設定時間が経過するまでの間、中央制御装置２０からの制御を無効化する構成としてもよい。
【００３８】
（実施の形態２）
実施の形態１では、電動ブラインド装置１０が操作パネル１４０からの制御を受付けた場合、予め設定された設定時間の間、中央制御装置２０からの制御を無効化する構成としたが、無効化する時間をユーザが任意に変更できる構成としてもよい。
実施の形態２では、ユーザが設定時間を変更する構成について説明する。なお、電動ブラインド制御システムの全体構成、各電動ブラインド装置１０及び中央制御装置２０の内部構成は実施の形態１と同様であるため、その説明を省略することとする。
【００３９】
図５は設定時間の変更手順を示すフローチャートである。電動ブラインド装置１０の制御部１１は、操作パネル１４０を通じて設定時間の変更を受付けたか否かを判断する（ステップＳ２１）。制御部１１は、操作パネル１４０を通じて、例えば、設定時間の変更を開始させるボタン操作、設定時間の入力を受付ける操作、設定時間の変更を終了させるボタン操作を含む所定の操作を受付けた場合、設定時間の変更を受付けたと判断することができる。設定時間の変更を受け付けていない場合（Ｓ２１：ＮＯ）、制御部１１は、本フローチャートによる処理を終了する。
【００４０】
設定時間の変更を受付けた場合（Ｓ２１：ＹＥＳ）、制御部１１は、変更後の設定時間に係る情報を記憶部１２に記憶させる（ステップＳ２２）。
【００４１】
なお、設定時間の変更を受付ける際の操作は上記に限定されるものではない。例えば、特定のボタンの連続操作、複数のボタンの同時操作等の操作により、設定時間の変更を受付けるモードに移行させる構成であってもよい。また、設定時間の時間長を受付けるのではなく、中央制御装置２０からの制御を無効化する開始タイミング又は終了タイミングを受付けることにより、設定時間の時間長を変更できるようにしてもよい。
【００４２】
更に、中央制御装置２０からの制御を無効化する開始時刻及び終了時刻を設定することにより、設定時間を定義してもよい。この場合、電動ブラインド装置１０の制御部１１は、操作パネル１４０からの制御を受付けたとき、内蔵する時計手段を参照し、現在時刻が設定された開始時刻から終了時刻までの時刻である場合、中央制御装置２０からの制御を無効化する構成とすればよい。
【００４３】
以上のように、実施の形態２では、中央制御装置２０からの制御を無効化する時間をユーザが任意に変更することができるため、電動ブランド装置の設置環境に応じてユーザが設定した設定時間の間、操作パネル１４０を用いた個別操作を優先させることができる。
【００４４】
（実施の形態３）
実施の形態３では、電動ブラインド装置１０が操作パネル１４０からの制御を受付けた場合、予め設定された設定時間の間、中央制御装置２０からの制御を無効化すると共に、その設定時間が経過するまでの間に中央制御装置２０からの制御信号を受信した場合、その制御信号が示す制御内容を記憶部１２にて記憶しておき、設定時間の経過後に記憶部１２に記憶した制御内容を実行する構成について説明する。
なお、電動ブラインド制御システムの全体構成、各電動ブラインド装置１０及び中央制御装置２０の内部構成は実施の形態１と同様であるため、その説明を省略することとする。
【００４５】
図６は実施の形態３に係る電動ブラインド装置１０の制御手順の一例を示すフローチャートである。電動ブラインド装置１０の制御部１１は、通信部１３又は接続部１４を通じて、制御信号が入力されたか否かを判断する（ステップＳ３１）。制御信号が入力されたと判断した場合（Ｓ３１：ＹＥＳ）、制御部１１は、通信部１３を通じて入力された信号であるのか、又は接続部１４を通じて入力された制御信号であるのかを判断することにより、入力された制御信号が操作パネル１４０からの信号であるか否かを判断する（ステップＳ３２）。
【００４６】
入力された制御信号が接続部１４を通じて入力された信号である場合、その制御信号は操作パネル１４０からの信号であると判断し（Ｓ３２：ＹＥＳ）、制御部１１は、内蔵タイマを用いて設定時間（例えば３０分）のカウントダウンを開始する（ステップＳ３３）。
【００４７】
次いで、制御部１１は、入力された制御信号に基づいてモータ制御を行う（ステップＳ３４）。例えば、制御部１１は、昇降制御部１５に対する制御信号を出力することにより、電動モータ１５Ｍの駆動を制御し、スラットの昇降動作を制御する。若しくは、制御部１１は、チルト制御部１６に対する制御信号を出力することにより、電動モータ１６Ｍの駆動を制御し、スラットの角度を調整する。モータ制御を行った後、制御部１１は、処理をステップＳ３１に戻す。
【００４８】
一方、入力された制御信号が通信部１３を通じて入力された信号である場合、その制御信号は中央制御装置２０からの信号である（操作パネル１４０からの信号でない）と判断する（Ｓ３２：ＮＯ）。次いで、制御部１１は、内蔵タイマの出力を参照し、カウントダウン値がゼロであるか否かを判断する（ステップＳ３５）。
【００４９】
カウントダウン値がゼロでない場合（Ｓ３５：ＮＯ）、すなわち、カウントダウンを開始してから設定時間が経過していない場合、制御部１１は、入力された制御信号に基づく制御内容を記憶部１２に記憶させ（ステップＳ３６）、処理をステップＳ３１へ戻す。ステップＳ３５でカウントダウン値がゼロであると判断した場合には（Ｓ３５：ＹＥＳ）、制御部１１は、入力された制御信号に基づいてモータ制御を行う（Ｓ３４）。
【００５０】
ステップＳ３１で制御信号が入力されていないと判断した場合（Ｓ３１：ＮＯ）、制御部１１は、内蔵タイマの出力を参照することにより、カウントダウン値がゼロであるか否かを判断する（ステップＳ３７）。カウントダウン値がゼロでない場合（Ｓ３７：ＮＯ）、制御部１１は処理をステップＳ３１へ戻す。
【００５１】
カウントダウン値がゼロであると判断した場合（Ｓ３７：ＹＥＳ）、制御部１１は、記憶部１２に記憶した制御内容が存在するか否かを判断する（ステップＳ３８）。記憶部１２に記憶した制御内容が存在しないと判断した場合（Ｓ３８：ＮＯ）、制御部１１は、処理をステップＳ３１へ戻す。
【００５２】
記憶部１２に記憶した制御内容が存在すると判断した場合（Ｓ３８：ＹＥＳ）、制御部１１は、記憶部１２に記憶した制御内容を読み出し（ステップＳ３９）、読み出した制御内容に基づき、モータ制御を行う（ステップＳ４０）。例えば、制御部１１は、昇降制御部１５に対する制御信号を出力することにより、電動モータ１５Ｍの駆動を制御し、スラットの昇降動作を制御する。若しくは、制御部１１は、チルト制御部１６に対する制御信号を出力することにより、電動モータ１６Ｍの駆動を制御し、スラットの角度を調整する。モータ制御の後、制御部１１は、処理をステップＳ３１に戻す。
【００５３】
以上のように、電動ブラインド装置１０の操作パネル１４０から制御を行った場合、設定時間（例えば３０分）が経過するまでの間、中央制御装置２０からの制御を無効化すると共に、無効化した制御を設定時間の経過後に再開させる構成としているので、ユーザによる個別操作を優先しつつ、設定時間経過後の各電動ブラインド装置１０，１０，…，１０を同一の状態に制御することができる。
【００５４】
（実施の形態４）
実施の形態１〜３では、中央制御装置２０からの制御を電動ブラインド装置１０にて無効化する構成としたが、中央制御装置２０から制御信号を送信する際に、操作パネル１４０から制御が行われた電動ブラインド装置１０を設定時間の間だけ制御対象から除外する構成としてもよい。
実施の形態４では、操作パネル１４０により操作が行われた電動ブラインド装置１０を設定時間の間だけ制御対象から除外して制御信号を送信する構成について説明する。
【００５５】
図７は中央制御装置２０から電動ブラインド装置１０へ送信する制御信号の一例を示す概念図である。中央制御装置２０から電動ブラインド装置１０へ送信する制御信号は、例えば、信号長、信号種別、対象ＩＤ、対象外ＩＤ、操作項目１、値１、操作項目２、値２を含む。図７に一例として示す制御信号は、制御対象の電動ブラインド装置１０のＩＤと、その電動ブラインド装置１０が実行すべき制御内容とを含んでいる。
【００５６】
信号種別は、電動ブラインド装置１０の制御種別を表す。具体的には、スラットの昇降位置のみの制御、スラットの角度のみの制御、スラットの昇降位置及び角度の双方の制御の何れを実行するのかを表している。
【００５７】
対象ＩＤは、制御対象の電動ブラインド装置１０のＩＤを表す。１又は複数の特定の電動ブラインド装置１０，１０，…，１０のＩＤを直接的に指定する構成であってもよく、特定のＩＤ（例えば、０ｘＦＦ）により全ての電動ブラインド装置１０，１０，…，１０を指定する構成であってもよい。また、ＩＤの範囲指定（例えば、０ｘ０１−０ｘ０５）により複数の電動ブラインド装置１０，１０，…，１０を指定する構成であってもよい。
【００５８】
除外ＩＤは、対象ＩＤにより指定されている電動ブラインド装置１０，１０，…，１０のうち、制御対象から除外すべき電動ブラインド装置１０のＩＤを表す。例えば、対象ＩＤにより制御対象として全ての電動ブラインド装置１０，１０，…，１０が指定されている場合であって、除外ＩＤが０ｘ０３に指定されている場合、全ての電動ブラインド装置１０，１０，…，１０のうち、ＩＤ＝０ｘ０３で指定される電動ブラインド装置１０のみを制御対象から除外することを表している。
【００５９】
操作項目１及び値１（操作項目２及び値２）は、制御対象の項目及びその項目の値を表す。例えば、操作項目１がスラットの昇降位置の制御であり、その値（値１）が０ｘ１１である場合、当該制御信号を受信した電動ブラインド装置１０は、スラットの昇降位置を制御する電動モータ１５Ｍを駆動し、スラットを現在位置から上昇（又は下降）させることにより、スラットの昇降位置を０ｘ１１に変更する。また、操作項目２が、スラットの角度制御であり、その値が０ｘ２０である場合、当該制御信号を受信した電動ブラインド装置１０は、スラットの角度を制御する電動モータ１６Ｍを駆動し、スラットの角度を現在角度から変更することにより、スラットの角度を０ｘ２０に変更する。
なお、昇降位置のみの制御、または角度のみの制御を行う場合、操作項目２及び値２が含まれていなくてもよい。
【００６０】
図８は実施の形態４に係る電動ブラインド装置１０の制御手順の一例を示すフローチャートである。電動ブラインド装置１０の制御部１１は、通信部１３又は接続部１４を通じて、制御信号が入力されたか否かを判断する（ステップＳ４１）。入力されていない場合（Ｓ４１：ＮＯ）、制御部１１は、制御信号が入力されるまで待機する。
【００６１】
制御信号が入力されたと判断した場合（Ｓ４１：ＹＥＳ）、制御部１１は、通信部１３を通じて入力された信号であるのか、又は接続部１４を通じて入力された制御信号であるのかを判断することにより、入力された制御信号が操作パネル１４０からの信号であるか否かを判断する（ステップＳ４２）。
【００６２】
入力された制御信号が接続部１４を通じて入力された信号である場合、その制御信号は操作パネル１４０からの信号であると判断し（Ｓ４２：ＹＥＳ）、制御部１１は、自装置のＩＤ、及び操作パネル１４０からの制御を受付けた旨を中央制御装置２０へ通知すると共に（ステップＳ４３）、入力された制御信号に基づいてモータ制御を行う（ステップＳ４４）。例えば、制御部１１は、昇降制御部１５に対する制御信号を出力することにより、電動モータ１５Ｍの駆動を制御し、スラットの昇降動作を制御する。若しくは、制御部１１は、チルト制御部１６に対する制御信号を出力することにより、電動モータ１６Ｍの駆動を制御し、スラットの角度を調整する。
一方、入力された制御信号が通信部１３を通じて入力された信号である場合、その制御信号は中央制御装置２０からの信号である（操作パネル１４０からの信号でない）と判断し（Ｓ４２：ＮＯ）、制御部１１は、中央制御装置２０へ通知することなく、入力された制御信号に基づいてモータ制御を行う（Ｓ４４）。
【００６３】
中央制御装置２０の制御部２１は、電動ブラインド装置１０からの通知を受信したか否かを判断する（ステップＳ４５）。電動ブラインド装置１０からの通知を受信したと判断した場合（Ｓ４５：ＹＥＳ）、制御部２１は、受信した通知の送信元のＩＤを特定し（ステップＳ４６）、内蔵タイマを用いて設定時間（例えば３０分）のカウントダウンを開始する（ステップＳ４７）。
【００６４】
カウントダウンを開始した場合、又はステップＳ４５で電動ブラインド装置１０からの通知を受信していないと判断した場合（Ｓ４５：ＮＯ）、制御部２１は、電動ブラインド装置１０に対する制御の要否を判断する（ステップＳ４８）。
【００６５】
操作部２５を通じて管理者の指示を受付けた場合、又は制御タイミングとして予め定められた時刻となった場合等において、制御部２１は、電動ブラインド装置１０に対する制御が必要であると判断する（Ｓ４８：ＹＥＳ）。なお、電動ブラインド装置１０に対する制御が不要と判断した場合（Ｓ４８：ＮＯ）、制御部２１は、処理をステップＳ４５に戻す。
【００６６】
次いで、制御部２１は、内蔵タイマの出力を参照し、カウントダウン値がゼロであるか否かを判断する（ステップＳ４９）。
【００６７】
カウントダウン値がゼロであると判断した場合（Ｓ４９：ＹＥＳ）、すなわち、カウントダウンを開始してから設定時間が経過した場合（若しくは、カウントダウンを行っていない場合）、制御部２１は、制御対象の電動ブラインド装置１０，１０，…，１０の全対象ＩＤを含む制御信号を生成する（ステップＳ５０）。
【００６８】
一方、カウントダウン値がゼロでないと判断した場合（Ｓ４９：ＮＯ）、制御部２１は、制御対象の電動ブラインド装置１０，１０，…，１０のうち、ステップＳ４６で特定したＩＤを除く制御信号を生成する（ステップＳ５１）。
【００６９】
次いで、制御部２１は、ステップＳ５０又はステップＳ５１で生成した制御信号を、通信線Ｎを介して各電動ブラインド装置１０，１０，…，１０へ送信する（ステップＳ５２）。
【００７０】
電動ブラインド装置１０の制御部１１は、中央制御装置２０から送信される制御信号を通信部１３を通じて受信した場合（ステップＳ５３）、処理をステップＳ４１へ戻す。なお、ステップＳ４１以降の処理は、受信した制御信号が自装置宛の制御信号である場合（すなわち、対象ＩＤに自装置のＩＤが指定されており、対象外ＩＤに自装置のＩＤが指定されていない場合）にのみ実行する構成とすればよい。
【００７１】
以上のように、実施の形態４では、電動ブラインド装置１０の操作パネル１４０から制御を行った場合、設定時間（例えば３０分）が経過するまでの間、中央制御装置２０から送信する制御信号に前記電動ブラインド装置１０のＩＤを含めないことにより、設定時間の間だけユーザの操作を優先させることができる。
【００７２】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００７３】
以上の実施の形態に関し、更に以下の付記を開示する。
【００７４】
本願の電動ブラインド制御システムは、夫々が操作部（１４０）を備える複数の電動ブラインド装置（１０）と、該複数の電動ブラインド装置（１０）に通信線（Ｎ）を介して接続された制御装置（２０）とを含み、前記操作部（１４０）又は前記制御装置（２０）から前記電動ブラインド装置（１０）の動作を制御する電動ブラインド制御システムにおいて、各電動ブラインド装置（１０）は、自装置が備える操作部（１４０）からの制御に応じた動作を行う場合、予め設定された設定時間の間、前記制御装置（２０）からの制御を無効化する手段（１１）を備えることを特徴とする。
【００７５】
本願では、電動ブラインド装置の操作部から制御を行った場合、設定時間が経過するまでの間、中央制御装置から送信される制御信号を受信した場合であっても、当該制御信号に基づく制御を行わない構成とすることにより、設定時間の間だけユーザの操作を優先させることができる。
【００７６】
本願の電動ブラインド制御システムは、各電動ブラインド装置（１０）は、前記設定時間の変更を受付ける手段（１４０）を更に備えることを特徴とする。
【００７７】
本願では、中央制御装置からの制御を無効化する時間をユーザが任意に変更することができるため、電動ブランド装置の設置環境に応じてユーザが設定した設定時間の間、操作部を用いた個別操作を優先させることができる。
【００７８】
本願の電動ブラインド制御システムは、各電動ブラインド装置（１０）は、前記設定時間の間に前記制御装置（２０）からの制御を受付けた場合、該制御に係る情報を記憶する記憶手段（１２）を備え、前記設定時間の終了後に、前記記憶手段（１２）に記憶した情報に基づいて動作を行うようにしてあることを特徴とする。
【００７９】
本願では、電動ブラインド装置の操作部から制御を行った場合、設定時間が経過するまでの間、中央制御装置からの制御を無効化すると共に、無効化した制御を設定時間の経過後に再開させる構成としているので、ユーザによる個別操作を優先しつつ、設定時間経過後の各電動ブラインド装置を同一の状態に制御することができる。
【００８０】
本願の電動ブラインド制御システムは、夫々が操作部（１４０）を備える複数の電動ブラインド装置（１０）と、該複数の電動ブラインド装置（１０）に通信線（Ｎ）を介して接続された制御装置（２０）とを含み、前記操作部（１４０）又は前記制御装置（２０）から前記電動ブラインド装置（１０）の動作を制御する電動ブラインド制御システムにおいて、各電動ブラインド装置（１０）は、自装置が備える操作部（１４０）からの制御を受付けた場合、その旨を前記制御装置（２０）へ通知する手段を備え、前記制御装置（２０）は、前記電動ブラインド装置（１０）からの通知を受信する手段（２３）と、前記通知を受信してから予め設定された設定時間が経過するまでの間に複数の電動ブラインド装置（１０）に対する制御を行う場合、前記通知の送信元を除く１又は複数の電動ブラインド装置（１０）を宛先とした制御信号を生成する手段（２１）と、生成した制御信号を前記通信線（Ｎ）を介して前記１又は複数の電動ブラインド装置（１０）へ送信する手段（２３）とを備えることを特徴とする。
【００８１】
本願では、電動ブラインド装置の操作部から制御を行った場合、設定時間が経過するまでの間、中央制御装置から送信する制御信号に前記電動ブラインド装置のＩＤを含めないことにより、設定時間の間だけユーザの操作を優先させることができる。
【符号の説明】
【００８２】
１０  電動ブラインド装置
１１  制御部
１２  記憶部
１３  通信部
１４  接続部
１５  昇降制御部
１５Ｍ  電動モータ
１６  チルト制御部
１６Ｍ  電動モータ
２０  中央制御装置
２１  制御部
２２  記憶部
２３  通信部
２４  表示部
２５  操作部  
１４０  操作パネル
【図１】
0006433281.tif 000002
【図２】
0006433281.tif 000003
【図３】
0006433281.tif 000004
【図４】
0006433281.tif 000005
【図５】
0006433281.tif 000006
【図６】
0006433281.tif 000007
【図７】
0006433281.tif 000008
【図８】
0006433281.tif 000009